(57)【要約】【課題】調節板が側板に近づいてその間隔が小さい幅に設定される場合であっても、調節板の不用意な移動を防止して商品通路の幅を所定の幅に規制する。【解決手段】一対の側板２ａ，２ｂを有し、これら側板２ａ，２ｂ間に調節板６が設けられ、この調節板６を側板２ａ，２ｂに対して平行移動させるリンク機構８が設けられ、この調節板６と側板２ｂとの間の空間が筒状の商品を積み重ねて収納する商品通路５として構成され、この商品通路５の幅を調節板６の平行移動により商品のサイズに応じる幅に変更可能となっており、調節板６には起伏動可能なストッパ体２７を有するストッパ機構２４が側板２ａに対向して設けられ、商品通路５の幅がＬ１からこれより大きい所定のＬ２の幅に設定されたときに、調節板６に対して起立するストッパ体２７が側板２ａに接触して調節板６を支持する。【選択図】　　　　　図２
2004021618.tif 000002
【特許請求の範囲】
【請求項１】
互いに対向する一対の側板を有し、これら側板間に調節板が設けられ、この調節板と前記一方の側板との間に、調節板を側板に対して平行移動させるリンク機構が設けられ、この調節板と前記他方の側板との間の空間が筒状の商品を積み重ねて収納する商品通路として構成され、この商品通路の幅を前記調節板の平行移動により商品のサイズに応じる幅に変更可能となっている自動販売機の商品収納装置において、
前記調節板には、この調節板に対して起伏動可能なストッパ体を有するストッパ機構が、前記一方の側板に対向して設けられていることを特徴とする自動販売機の商品収納装置。
【請求項２】
前記商品通路の幅がＬ１からこれより大きい所定のＬ２の幅に設定されたときに、調節板に対して起立する前記ストッパ機構のストッパ体が前記一方の側板に接触し、前記商品通路の幅が前記Ｌ２の幅よりさらに大きいＬ３の幅に設定されたときに、前記ストッパ体が倒伏して調節板が前記一方の側板に接触することを特徴とする請求項１に記載の自動販売機の商品収納装置。
【請求項３】
一対の側板間の上部には、商品通路内に商品を投入する際にそのガイド用として用いるガイド装置が設けられ、このガイド装置は樋形状のガイド体と、このガイド体内に設けられたガイドプレートとを有し、前記ガイドプレートは前記ガイド体に係脱可能にかつガイド体の幅方向に移動可能に設けられ、その幅方向の移動により商品のサイズに応じた位置に配置され、さらにこのガイドプレートは上下方向に回動可能で、その上方への回動によりガイド体に対する係合が外れ、この状態でガイド体の幅方向への移動が許容される構成となっており、
前記調節板は前記ガイドプレートの幅方向の移動に連動して平行移動し、前記ストッパ機構は前記ガイドプレートの上方への回動に基づいてそのストッパ体が調節板に対して倒伏し、前記ガイドプレートの下方への回動に基づいてストッパ体が調節板に対して起立可能となっていることを特徴とする請求項１または２に記載の自動販売機の商品収納装置。
【請求項４】
前記調節板にはスライダが設けられ、このスライダを介して前記ガイド装置におけるガイドプレートの上下の回動動作に前記ストッパ機構が連係することを特徴とする請求項１、２または３に記載の自動販売機の商品収納装置。
【請求項５】
前記スライダは、前記ガイドプレートの上方への回動時にこのガイドプレートにより引き上げられて上昇移動し、この上昇移動に応じてストッパ機構のストッパ体が自重で下方に回動して倒伏し、前記ガイドプレートの下方への回動時には前記スライダが自重で下降移動し、この下降移動に応じてストッパ機構のストッパ体に上方への回動力が加わることを特徴とする請求項４に記載の自動販売機の商品収納装置。
【発明の詳細な説明】
【０００１】
【発明の属する技術分野】
この発明は、飲料入りの缶やペットボトル等の筒状の商品を販売する自動販売機における商品収納装置に関する。
【０００２】
【従来の技術】
一般に自動販売機は、前面が開口した筐体と、この筐体の前面に設けられた開閉扉とを備え、筐体内は断熱構造の収納室として構成され、この収納室内にサーペンタイン型の複数の商品収納装置が前後左右に配列するように設置され、これら商品収納装置内に缶やペットボトル等の各種の商品が上下に積層して収納されている。そして所定の販売信号が投入されると、所定の商品収納装置内の最下層の商品が排出機構を介して１個ずつその下方に排出され、販売口に導入される。　この種の商品収納装置は、左右に互いに対向して並ぶ一対の側板と、これら側板間の前後に互いに対向して配置するコラムレールとで構成され、これら側板とコラムレールとで囲まれる空間が上下方向に蛇行状に延びる商品通路となっており、この商品通路内に缶やペットボトル等の筒状の商品が上下に積み重なるように収納されている。
【０００３】
この種の商品収納装置に収納される商品は、季節や売れ行き等に応じてその種類が変更される。このため、商品収納装置内には、商品通路の左右幅を商品のサイズ（長さ寸法）に応じて調節することができる幅調節機構が設けられるようになってきている。この幅調節機構としては、例えば特開２００１−３１２７６９に見られるように、商品通路を構成する一方の側板に対向して調節板を設け、この調節板をリンク機構を介してその側板に対して平行移動させて商品通路の幅を商品のサイズに応じる幅に変更することができるようにしたものが知られている。
【０００４】
すなわち、この商品収納装置は、図１０に示すように、一方の側板ａに対向して調節板ｂが設けられ、この調節板ｂがリンクバーｃを有するリンク機構ｄにより支持され、この調節板ｂが側板ａに対して平行移動することにより商品通路ｅの左右幅が変更される。なお、この調節板ｂは、商品通路ｅ内に商品を投入するときにその投入のガイド用として用いられるガイド装置のガイドプレート（図示せず）により所定の各位置に移動される。
【０００５】
【発明が解決しようとする課題】
ところで、このような商品収納装置内に収納される商品としては、例えば図１１に示すようなペットボトルがあり、このようなペットボトルにおいては、その変形を防止するための強化部が斜線で示すように胴部の周面に部分的に設けられている。この強化部は、意匠やコストの点からペットボトルの周面の限られた部分に設けられ、他の部分は比較的軟質となっている。
このようなペットボトルの複数が商品収納装置内に収納されて積み重ねられたときに、図１１（Ａ）に示すように互いに強化部が接触して整列する状態にあれば問題ないが、図１１（Ｂ）に示すように、積み重なったペットボトルが互いに軸方向にδの寸法分だけずれ動き、一方のペットボトルの強化部が他方のペットボトルの非強化部に接触するようなことがあると、その非強化部が凹み、ペットボトルの積み重ねの高さ寸法にばらつきが生じてしまう。
商品収納装置内に収納されたペットボトルは、特開平８−７７４３０号に見られるような第１および第２のストッパが交互に突没動作する排出機構を介して最下層のものから順次１個ずつ排出されるが、ペットボトルの積み重ね寸法にばらつきが生じていると、その排出動作に異常が生じ、排出不良を招いてしまう。
【０００６】
ここで、図１０に示すような商品収納装置においては、商品の長さ寸法が小さく、調節板ｂが側板ａから比較的大きく離間し、リンク機構ｄのリンクバーｃが水平に対して小さな角度で傾斜するときには、調節板ｂに加わる水平方向の力を各リンクバーｃで支持して調節板ｂの揺動を防止することができるが、商品の長さ寸法が大きく、図１０に鎖線で示すように調節板ｂが側板ａに近づいてその間隔が小さくなり、リンク機構ｄのリンクバーｃが水平に対して大きな角度で傾斜するときには、調節板ｂに加わる水平方向の力を各リンクバーｃで充分に支持することが困難となり、調節板ｂが側板ａに近づく方向に移動（揺動）し、この結果、図１１（Ｂ）に示すように、商品が軸方向にずれ、排出不良を招いてしまう恐れがある。
【０００７】
この発明はこのような点に着目してなされたもので、その目的とするところは、調節板が側板に近づいてその間隔が小さい幅に設定される場合であっても、調節板の不用意な移動を確実に防止して商品通路の幅を所定の幅に的確に規制し、常に商品を適正かつ円滑に排出させることができる自動販売機の商品収納装置を提供することにある。
【０００８】
【課題を解決するための手段】
この発明はこのような目的を達成するために、互いに対向する一対の側板を有し、これら側板間に調節板が設けられ、この調節板と前記一方の側板との間に、調節板を側板に対して平行移動させるリンク機構が設けられ、この調節板と前記他方の側板との間の空間が筒状の商品を積み重ねて収納する商品通路として構成され、この商品通路の幅を前記調節板の平行移動により商品のサイズに応じる幅に変更可能となっている自動販売機の商品収納装置において、前記調節板に起伏動可能なストッパ体を有するストッパ機構を前記一方の側板に対向して設けるようにしたものである。
【０００９】
前記商品通路の幅がＬ１からこれより大きい所定のＬ２の幅に設定されたときには、調節板に対して起立する前記ストッパ機構のストッパ体を前記一方の側板に接触させて調節板の揺動を防止し、前記商品通路の幅が前記Ｌ２の幅よりさらに大きいＬ３の幅に設定されたときには、前記ストッパ体を倒伏させて調節板を前記一方の側板に接触させてその揺動を防止する。
一対の側板間の上部には、商品通路内に商品を投入する際にそのガイド用として用いるガイド装置が設けられ、このガイド装置は樋形状のガイド体と、このガイド体内に設けられたガイドプレートとを有し、前記ガイドプレートは前記ガイド体に係脱可能にかつガイド体の幅方向に移動可能に設けられ、その幅方向の移動により商品のサイズに応じた位置に配置され、さらにこのガイドプレートは上下方向に回動可能で、その上方への回動によりガイド体に対する係合が外れ、この状態でガイド体の幅方向への移動が許容される構成となっており、前記調節板は前記ガイドプレートの幅方向の移動に連動して平行移動させ、前記ストッパ機構は前記ガイドプレートの上方への回動に基づいてそのストッパ体を調節板に対して倒伏させ、前記ガイドプレートの下方への回動に基づいてストッパ体を調節板に対して起立可能とさせる。
【００１０】
前記調節板にはスライダを設け、このスライダを介して前記ガイド装置におけるガイドプレートの上下の回動動作に前記ストッパ機構を連係させる。
【００１１】
前記スライダは、前記ガイドプレートの上方への回動時にこのガイドプレートで引き上げて上昇移動させ、この上昇移動でストッパ機構のストッパ体を自重で下方に回動させて倒伏させ、前記ガイドプレートの下方への回動時には前記スライダを自重で下降移動させ、この下降移動に応じてストッパ機構のストッパ体に上方への回動力を加える。
【００１２】
【発明の実施の形態】
以下、この発明の一実施形態について図面を参照して説明する。
図１には商品収納装置の側面から見た断面構成図を、図２には正面から見た断面構成図を示してある。この商品収納装置のコラム１は、左右に互いに対向して並ぶ一対の側板２ａ，２ｂと、これら側板２ａ，２ｂ間の前後に配置され、互い上下に位置をずらして対向するように設けられた複数ずつのコラムレール３ａ，３ｂとで構成され、これら側板２ａ，２ｂとコラムレール３ａ，３ｂとで囲まれた空間が上下方向に蛇行状に延びる商品通路５となっている。
商品通路５内には調節板６が設けられ、この調節板６は一方の側板２ａの配置寄りに偏位してその側板２ａと対向するように設けられている。側板２ａ，２ｂ間の上部には支持軸７が水平に架設され、調節板６の上部がこの支持軸７を介して図２における左右方向つまり商品通路５の幅方向に対してスライド自在に支持されている。
【００１３】
一方の側板２ａと調節板６との間には、調節板６を平行移動させるためのリンク機構８が上中下の３段に亘って設けられている。これらリンク機構８について述べると、調節板６の側面には、その長手方向に沿って延びる凹部１０が形成され、この凹部１０内に一方向に長い連結板１１がスライド自在に収納されている。
【００１４】
連結板１１の両側縁には、図３および図４に示すように、その長手方向の複数箇所において舌片１２が一体に突出形成され、また調節板６の凹部１０には前記舌片１２に対応するスリット１３が形成されている。そして連結板１１の各舌片１２がその対応するスリット１３を通して調節板６の外面側に突出している。
【００１５】
スリット１３は調節板６の長手方向に沿って一定の長さに延び、各舌片１２がスリット１３内で摺動することにより連結板１１が調節板６の長手方向にスライドするようになっている。
【００１６】
そして調節板６の外面側に突出して互いに対向した舌片１２間に、リンク機構８を構成するリンクバー１５の一端部がピン１６を介して回動自在に連結されている。
【００１７】
一方、側板２ａには、図４および図５に示すように、長手方向の複数箇所において縦長状の開口１９が形成され、これら開口１９の両側縁に側板２ａの外面側に突出する支持片２０が一体に形成されている。
【００１８】
前記各リンクバー１５の他端側の端部は側板２ａの開口１９内に挿入されているとともに、互いに対向した前記支持片２０間にピン２１を介して回動自在に連結されている。
【００１９】
すなわち、各リンクバー１５は調節板６と側板２ａとの間に傾斜して掛け渡され、調節板６が支持軸７に沿って側板２ａに対して接離する左右方向に移動する際に、連結板１１が舌片１２と一体に調節板６の凹部１０内で上下にスライドするとともにリンクバー１５の一端側の端部が上下してリンクバー１５の傾斜の角度が変化し、これにより調節板６が側板２ａ，２ｂと平行を保って左右方向に移動するようになっている。そして調節板６が一方の側板２ａに接近したときには、リンクバー１５および前記舌片１２が前記開口１９内に介入し、これにより調節板６が側板２ａに接触するようになっている。
調節板６の下部にはストッパ機構２４が設けられ、このストッパ機構２４について述べると、調節板６には図６および図７に示すように、開口２５が形成され、この開口２５の両側縁に舌片２６が一体形成されている。これら舌片２６は互いに対向して調節板６の外面側に突出し、これら舌片２６間にストッパ体２７が設けられている。
【００２０】
ストッパ体２７はコ字状をなす基部２８と、この基部２８の一側面からその前方に延出する延出片２９とからなり、基部２８が前記舌片２６間に架設されたピン３０を介して回動自在に支持されている。
【００２１】
調節板６の凹部１０と連結板１１との間にはスライダ３４がスライド自在に挿入されている。前記ストッパ体２７の基部２８の一部は開口２５を通して調節板６の凹部１０の内側に突出し、この突出部２８ａに対して前記スライダ３４が接離するようになっている。
【００２２】
すなわち、図６（Ａ）に示すように、スライダ３４が上方に位置してその下端縁がストッパ体２７の基部２８から離間するときには、ストッパ体２７が自重でピン３０を中心に下方に回動して延出片２９が調節板６の外面に接する倒伏状態にあり、この状態からスライダ３４が下方に移動したときに、その下端縁が基部２８の突出部２８ａに当接し、この当接で図６（Ｂ）に鎖線で示すように、ストッパ体２７がピン３０を中心に時計方向に回動し、さらにスライダ３４が下方に移動することにより図６（Ｂ）に実線で示すようにストッパ体２７がピン３０を中心にほぼ９０°まで回動して延出片２９がほぼ水平の起立状態になり、この姿勢が保持される。
【００２３】
そしてスライダ３４が再び上方に移動してその下端縁が基部２８から離間したときに、ストッパ体２７が自重でピン３０を中心に下方にほぼ９０°回動して延出片２９が調節板６に接触するようになっている。
【００２４】
一方の側板２ａには、図６（Ｂ）に鎖線で示すように、ストッパ機構２４に対向して開口３１が形成されている。またストッパ機構２４における延出片２９の先端部には、図７に示すように、その幅方向に延びる幅広部２９ａが一体に形成されている。
【００２５】
この幅広部２９ａの横幅は前記開口３１の横幅よりも大きくなっており、図６（Ｂ）に示すように、ストッパ機構２４のストッパ体２７が調節板６に対して起立して延出片２９がほぼ水平に延びる姿勢のもとで調節板６が側板２ａに接近するときには、幅広部２９ａが開口３１の両側における側板２ａの板面に接触するようになっている。そして開口３１の両側における側板２ａの板面には、上下に離間して並ぶ一対の小さな突起３２が形成され、前記延出片２９の先端縁部がこれら突起３２間に介在してその姿勢が安定して支持されるようになっている。
【００２６】
一方、図６（Ａ）に示すように、ストッパ機構２４のストッパ体２７が調節板６に対して倒伏し、延出片２９が調節板６の外面に沿って接触する姿勢のもとで調節板６が側板２ａに接近するときには、ストッパ機構２４の基部２８が前記開口３１内に進入し、これにより調節板６が側板２ａに接触するようになっている。
スライダ３４の上端部は、図８に示すように、調節板６のほぼ上端部にまで達している。そしてこのスライダ３４の上端部にはほぼ逆Ｕ字状に屈曲する掛け部３５が形成され、この掛け部３５が調節板６の側面に形成された開口３６を通して調節板６の外面側に突出している。
【００２７】
コラム１の上部には、図１に示すように、商品通路５内に商品を投入する際にそのガイド用として用いるガイド装置４０が設けられている。このガイド装置４０は、図１および図９に示すように、両側にガイド側板４１ａ，４１ｂを有する樋形状のガイド体４２と、このガイド体４２内に設けられたガイドプレート４３とからなる。
【００２８】
ガイド体４２は、自動販売機の前面からその奥行側に向かって傾斜してその先端部が商品通路５の上端の開口部に向くように設置されている。そして商品通路５内にペットボトル等の筒状の商品を投入する際に、ガイド体４２の上に商品をその軸方向が左右方向に向くように順次並列して乗せ、これをガイド体４２の傾斜で転動させて商品通路５内に順次投入する。
【００２９】
ガイド体４２の上に設けられたガイドプレート４３は、ガイド体４２のガイド側板４１ａ，４１ｂと対向するように平行に配置され、その基端側の端部がピン４４を介して上下方向に回動可能に、かつガイド体４２の幅方向（左右方向）に移動可能に支持されている。
【００３０】
ガイドプレート４３の下端縁には係合爪４５が一体に突出形成され、またガイド体４２の底面にはその幅方向に沿って並列するように前記係合爪４５と係脱可能な複数の係合孔４６が形成され、そのいずれかの係合孔４６に係合爪４５を選択的に係合してガイドプレート４３を位置決することができるようになっている。
【００３１】
ガイドプレート４３は、ピン４４を中心に上方に回動して係合爪４５を前記係合孔４６から離脱させ、この状態でガイドプレート４３をピン４４に沿ってガイド体４２の幅方向に移動し、かつ下方に回動して係合爪４５を選択的に他の係合孔４６内に挿入して係合することにより、ガイドプレート４３の位置を変更することができるようになっている。
商品を投入する際には、ガイド体４２の一方のガイド側板４１ａとガイドプレート４３との間に商品を順次並列するように挿入し、これら商品を前記ガイド側板４１ａとガイドプレート４３とでガイドしながら並列する整列状態を保って転動させて商品通路５内に順次供給する。
ガイド体４２の一方のガイド側板４１ａとガイドプレート４３との間隔幅は、前述のような操作でガイドプレート４３の位置を変更することにより、各商品のサイズ（長さ寸法）に応じた幅に設定することができ、これにより各サイズのいずれの商品の場合であっても整列して商品通路５内に投入することができる。
ガイドプレート４３の先端部は、図１および図９に示すように、一対の挟持片４３ａ，４３ｂを有する二股状となっており、この二股部が調節板６の上部に図８に示すように摺動自在に差し込まれ、その一方の挟持片４３ａが調節板６の側面から突出したスライダ３４の掛け部３５の内側に配置されている。
【００３２】
したがって、ガイドプレート４３をガイド体４２の幅方向に移動させたときには、これと一体的に調節板６が支持軸７に沿って移動し、調節板６とコラム１の側板２ｂとの間隔幅つまり商品通路５の通路幅が投入される商品のサイズに対応するようになっている。そして、ガイドプレート４３を上方に回動したときには、挟持片４３ａと掛け部３５との係合で調節板６が上方に引き上げられる。
【００３３】
次に、この商品搬送装置の作用について説明する。
長さ寸法の小さいＬ１の長さの商品を商品通路５内に収納して販売するときには、ガイド装置４０のガイドプレート４３をそのＬ１の寸法に対応する位置に定める。これに応じて、調節板６もＬ１の寸法に対応する位置に配置し、調節板６と側板２ｂとの間の間隔幅がほぼＬ１となる。
【００３４】
そしてガイド装置４０を通して長さＬ１の商品を商品通路５内に順次投入して収納する。商品通路５の幅は調節板６によりその商品の長さＬ１に対応する幅に規制されているから、商品通路５内には各商品が整列して積み重なる。
【００３５】
この際、調節板６は、図２に示すように、側板２ａから比較的大きく離れ、リンク機構８の各リンクバー１５は水平に対して小さな角度α１で傾斜する状態にある。調節板６には、商品通路５内での商品の移動時等にその商品により矢印Ａ方向の外力が加わるが、各リンクバー１５の傾斜の角度α１が小さいため、その外力を各リンクバー１５で充分に受け止めて調節板６の揺動を抑えることができ、したがって商品通路５内の商品相互の長さ方向のずれを防止して適正な整列状態を保つことができ、これにより排出機構（図示せず）の動作時に商品通路５内の商品を順次円滑に排出させることができる。
【００３６】
一方、長さ寸法がＬ１より大きい長さＬ２の商品を商品通路５内に収納して販売するときには、まずガイド装置４０のガイドプレート４３をピン４４を中心に上方に回動して係合爪４５を係合孔４６から外す。
【００３７】
ガイドプレート４３を上方に回動したときには、このガイドプレート４３によりスライダ３４が上方に引き上げられる。そしてスライダ３４の上方移動によりスライダ３４の下端部が図６（Ａ）に示すようにストッパ体２７における基部２８の端部から離間し、これに応じてストッパ体２７がピン３０を中心に下方に回動して延出片２９が調節板６の外面から突出する状態から調節板６の外面に沿う状態に変位する。
【００３８】
ガイドプレート４３を上方に回動して係合爪４５を係合孔４６から外した後には、ガイドプレート４３をピン４４に沿ってガイド体４２の幅方向に長さＬ２に対応する位置にまで移動させる。そしてこの位置において、ガイドプレート４３を下方に回動し、この位置に対応する係合孔４６内に係合爪４５を挿入して係合し、ガイドプレート４３を位置決めする。
【００３９】
ガイドプレート４３をガイド体４２の幅方向に沿って長さＬ２に対応する位置にまで移動させたときには、ガイドプレート４３と一体的に調節板６が支持軸７に沿って移動し、調節板６とコラム１の側板２ｂとの間隔幅つまり商品通路５の通路幅がＬ２に対応する幅に調節される。
また、ガイドプレート４３を下方に回動したときには、このガイドプレート４３と一体的にスライダ３４が自重で下方にスライドし、その下端部がストッパ体２７における基部２８の端部に当接するとともに、スライダ３４の重力でストッパ体２７がピン３０を中心に上方に回動して延出片２９が調節板６の外面に沿う状態から図６（Ｂ）に示すように調節板６の外面に対して起立するほぼ水平な突出状態に変位する。そしてこの起立して突出した延出片２９の先端縁が側板２ａに接触する状態となる。
【００４０】
このような状態のもとで、ガイド装置４０を通して長さＬ２の商品を商品通路５内に順次投入して収納する。商品通路５の幅は調節板６によりその商品の長さＬ２に対応する幅に規制されているから、商品通路５内には各商品が整列して積み重なる。
【００４１】
この際、図２に鎖線で示すように、調節板６と側板２ａとの間隔幅は狭く、したがってリンク機構８の各リンクバー１５は水平に対して大きな角度α２で傾斜する状態にある。
【００４２】
このため、商品通路５内での商品の移動時等にその商品により調節板６に矢印Ａ方向の外力が加わると、その外力を各リンクバー１５で充分に受け止めることが困難となって調節板６が揺動してしまう恐れがある。
ところが、本実施形態においては、調節板６の外面からストッパ体２７の延出片２９がほぼ水平に突出し、その先端縁が側板２ａに接触しており、このため調節板６に矢印Ａ方向の外力が加わった際に、その外力をストッパ体２７の延出片２９で受け止めることができ、したがって調節板６の揺動を抑えることができ、これにより商品通路５内の商品相互の長さ方向のずれを防止して適正な整列状態を保つことができ、これにより排出機構（図示せず）の動作時に商品通路５内の商品を順次円滑に排出させることができる。
【００４３】
商品の長さ寸法がＬ２よりさらに大きい最大のＬ３の寸法の商品を扱う場合においては、前述の場合と同様にガイド装置４０のガイドプレート４３をピン４４を中心に上方に回動して係合爪４５を係合孔４６から外す。
【００４４】
ガイドプレート４３を上方に回動したときには、このガイドプレート４３によりスライダ３４が上方に引き上げられ、スライダ３４の下端部がストッパ体２７における基部２８の端部から離間し、ストッパ体２７がピン３０を中心に下方に回動して延出片２９が調節板６の外面から突出する状態から調節板６の外面に沿う状態に変位する。すなわち延出片２９が起立状態から倒伏状態に変位する。
【００４５】
ガイドプレート４３を上方に回動して係合爪４５を係合孔４６から外した後には、ガイドプレート４３をピン４４に沿ってガイド体４２の幅方向に長さＬ３に対応する位置にまで移動させる。そしてこの位置において、ガイドプレート４３を下方に回動し、この位置に対応する係合孔４６内に係合爪４５を挿入して係合し、ガイドプレート４３を位置決めする。
【００４６】
ガイドプレート４３をガイド体４２の幅方向に沿って長さＬ３に対応する位置にまで移動させたときには、ガイドプレート４３と一体的に調節板６が支持軸７に沿って移動し、調節板６が側板２ａに接触し、調節板６と他方の側板２ｂとの間隔幅つまり商品通路５の通路幅がＬ３に対応する幅に調節される。
調節板６が支持軸７に沿って移動する際には、ストッパ体２７の延出片２９は調節板６の外面に沿う倒伏状態にあり、したがって調節板６を側板２ａに接触する位置にまで移動させることができる。
【００４７】
また、ガイドプレート４３を下方に回動したときには、このガイドプレート４３と一体的にスライダ３４が自重で下方にスライドし、その下端部がストッパ体２７における基部２８の端部に当接するが、ストッパ体２７はその延出片２９が側板２ａに接触しているためスライダ３４の重力を受けても回動せず、したがってスライダ３４の下方への移動は途中で停止し、ガイドプレート４３のみが下方に回動してその係合爪４５が係合孔４６に係合する。
【００４８】
このような状態のもとで、ガイド装置４０を通して長さＬ３の商品を商品通路５内に順次投入して収納する。商品通路５の幅は調節板６によりその商品の長さＬ３に対応する幅に規制されているから、商品通路５内には各商品が整列して積み重なる。
【００４９】
この際、調節板６は側板２ａに接触する状態にあり、このため商品通路５内での商品の移動時等にその商品により調節板６に矢印Ａ方向の外力が加わっても、その外力を側板２ａで受け止めて調節板６の揺動を抑えることができ、したがって商品通路５内の商品相互の長さ方向のずれを防止して適正な整列状態を保つことができ、これにより排出機構（図示せず）の動作時に商品通路５内の商品を順次円滑に排出させることができる。
【００５０】
【発明の効果】
以上説明したようにこの発明によれば、調節板が側板に近づいてその間隔が小さい幅に設定される場合であっても、調節板の不用意な移動を確実に防止して商品通路の幅を所定の幅に的確に規制し、常に商品を適正かつ円滑に排出させることができる。
【図面の簡単な説明】
【図１】この発明の一実施形態に係る自動販売機の商品収納装置の側面から見た断面構成図。
【図２】同じく正面から見た断面構成図。
【図３】その商品収納装置におけるリンク機構の平面から見た断面構成図。
【図４】そのリンク機構の一端部の構成を示す正面図。
【図５】そのリンク機構の他端部の構成を示す正面図。
【図６】その商品収納装置におけるストッパ機構の構成を示す断面図。
【図７】その商品収納装置におけるストッパ機構の構成を示す正面図。
【図８】その商品収納装置における調節板の上部の構造を示す断面図。
【図９】その商品収納装置におけるガイド装置の平面図。
【図１０】従来の商品収納装置を示す断面構成図。
【図１１】商品収納装置内に積み重ね状態に収納される商品の状態を説明するための説明図。
【符号の説明】
１…コラム
２ａ，２ｂ…側板
３，４…コラムレール
５…商品通路
６…調節板
７…支持軸
８…リンク機構
１１…連結板
１５…リンクバー
２４…ストッパ機構
２７…ストッパ体
２８…基部
２９…延出片
３４…スライダ
４０…ガイド装置
４２…ガイド体
４３…ガイドプレート
４５…係合爪
４６…係合孔
【図１】
2004021618.tif 000003
【図２】
2004021618.tif 000004
【図３】
2004021618.tif 000005
【図４】
2004021618.tif 000006
【図５】
2004021618.tif 000007
【図６】
2004021618.tif 000008
【図７】
2004021618.tif 000009
【図８】
2004021618.tif 000010
【図９】
2004021618.tif 000011
【図１０】
2004021618.tif 000012
【図１１】
2004021618.tif 000013